(57)【要約】【課題】従来の１ｂｉｔ量子化されたデータの伝送装置においては、複数のデータを同時に送信すると受信側ではこれらデータが混合してしまい、分離して受信することが出来なかった。本発明においては、１ｂｉｔ量子化による通信系において、多数の情報を同時に多重化して伝送する通信方法およびその送受信装置の提供を目的とした。【解決手段】送信側では、ｎ個の１ｂｉｔ量子化されたデータをパラレル・シリアル変換して多重化して送信する。受信側では送信されてきた多重化されたデータからクロックを生成し、さらにこのクロックから位相のずれた１／ｎに分周されたクロックを用いて、データをｎ個のラッチ手段に順次書き込むことにより個々のデータを読み出す方法としている。【選択図】図２
2005057467.tif 000002
【特許請求の範囲】
【請求項１】
ｎ＞１としてｎ個のデータ入力を有し、
該各データ入力を１ｂｉｔ量子化手段により１ｂｉｔ量子化し、
該１ｂｉｔ量子化されたｎ個の前記データ入力をパラレル・シリアル変換手段により前記１ｂｉｔ量子化手段における量子化速度のｎ倍の速度を有するシリアルデータとして多重化し、
該シリアルデータを、光、赤外線、紫外線、電波、磁気波の何れかによる通信媒体で送信することを特徴とするデータ通信方法。
【請求項２】
請求項１に記載の光、赤外線、紫外線、電波、磁気波の何れかによる通信媒体で送信された信号を受信し復調することにより得られた前記シリアルデータから生成される第１のクロックを１／ｎに分周して得られる第２のクロックを発生せしめ、
該第２のクロックを用いて前記受信したシリアルデータを予め定められた一定の間隔でラッチ手段にとり込むことにより前記ｎ個のデータ入力における任意の１つのデータ入力のみを出力することを特徴とするデータ通信方法。
【請求項３】
請求項２に記載の光、赤外線、紫外線、電波、磁気波の何れかによる通信媒体で送信されて来た信号を受信し復調することにより得られた前記シリアルデータから生成される前記第１のクロックを、１／ｎに分周して得られる前記第２のクロックで、かつ該第２のクロックの立ち上がり時刻を１データ時間分づつずらせたｎ個のクロックを発生せしめ、
該ｎ個のクロックのそれぞれをｎ個のラッチ手段のクロック入力端子に印加して、前記多重化された前記データ入力の各データを前記ラッチ手段にそれぞれラッチし、
前記各ラッチ手段出力から前記ｎ個のデータ入力を個々に並列に取り出すことを特徴とするデータ通信方法。
【請求項４】
ｎ＞１として、
ｎ個の１ｂｉｔ量子化して得られたデジタルデータをｎ個の記憶手段にそれぞれ記憶しておき、
該ｎ個の記憶手段の各々からデータを１ｂｉｔづつ取り出し、
該１ｂｉｔづつ取り出したデータをパラレル・シリアル変換手段で多重化することにより１ｂｉｔ量子化手段における量子化速度のｎ倍の速度を有するシリアルデータとし、
該シリアルデータを送信用の変調を行った後、光、赤外線、紫外線、電波、磁気波の何れかを用いて該シリアルデータを送信することを特徴とするデータ通信方法。
【請求項５】
請求項１または請求項４に記載のデータ通信方法において、
パラレル・シリアル変換手段の１つまたは複数の入力に対し、機器制御や他の入力のデータ状態を知らせるための制御信号となるデジタルデータを前記シリアルデータに付加することを特徴とするデータ通信方法。
【請求項６】
ｎ＞１としてｎ個のデータ入力端子と、
該ｎ個のデータ入力端子にそれぞれ接続されている１ｂｉｔ量子化手段と、
該ｎ個の１ｂｉｔ量子化手段の各出力を１次元のシリアルデータに統合するためのパラレル・シリアル変換手段と、
該シリアルデータを変調して光、赤外線、紫外線、電波、磁気波の何れかの送信媒体により送信するための送信手段と
を有することを特徴とするデータ送信装置。
【請求項７】
請求項６に記載のデータ送信装置から発信された信号を受信し復調する受信手段と、
該受信手段の出力として得られる前記シリアルデータから得られる第１のクロックに対して１／ｎに分周して得られる第２のクロックを生成するクロック発生手段と、
該第２のクロックにより前記シリアルデータから予め定められたデータ入力のみを採り込むラッチ手段と
を有することを特徴とするデータ受信装置。
【請求項８】
請求項６に記載のデータ送信装置から発信された信号を受信し復調する受信手段と、
該受信手段の出力として得られる前記シリアルデータから得られる第１のクロックに対して１／ｎの周波数で、かつ位相が１データ時間分づつずれたｎ個のクロック群を生成するクロック発生手段と、
前記受信手段の出力側に接続されているｎ個のラッチ手段とを有しており、
該ｎ個のラッチ手段は１／ｎ周波数でｎ個のクロックにより前記シリアルデータから前記ｎ個のデータ入力を順次採り込む構成としており、
前記ｎ個のラッチ手段からｎ個のデータ入力をそれぞれ並列に取り出す構成であることを特徴とするデータ受信装置。
【請求項９】
ｎ＞１として、
１ｂｉｔ量子化して得られたｎ個のデジタルデータをそれぞれ記憶するｎ個のデータ記憶手段と、
該ｎ個のデータ記憶手段出力が接続されているパラレル・シリアル変換手段と、
該パラレル・シリアル変換手段により形成されたシリアルデータを変調し光、赤外線、紫外線、電波、磁気波の何れかにより送信する送信手段と
を有することを特徴とするデータ送信装置。
【請求項１０】
請求項６または請求項９に記載のデータ送信装置において、
前記パラレル・シリアル変換手段は前記ｎ個のデータ入力にさらに機器制御や他の入力のデータ状態を知らせるための制御信号となるデジタルデータを前記シリアルデータに付加するための入力も有していることを特徴とするデータ送信装置。
【発明の詳細な説明】
【技術分野】
【０００１】
本発明は１ｂｉｔ量子化されたデータ伝送の多チャンネル化に関する伝送方法とその送信装置および受信装置に係る。
【背景技術】
【０００２】
データ伝送回路の回路規模を簡略化し、小型化・低消費電力化を実現するものとして、ノイズシェーピングＡ／Ｄ変換器を用いて１ｂｉｔシリアルデータに変換して送信する技術が下記特許文献１により開示されている。  
図１０はこの公知技術の基本構成を示すもので、送信側ではアナログ量である入力データ１１０をノイズシェーピング方式で１ｂｉｔのデジタル信号に変換する、すなわち１ｂｉｔ量子化を行うＡ／Ｄ変換手段１１１により１ｂｉｔデータ列１１２に変換し、この１ｂｉｔデータ列をＲＦ送信部１１３においてＦＳＫまたはＰＳＫ等のデジタル通信方式で用いられる変調方式によりデータ周波数のｍ倍の搬送波で変調をかけ、送信アンテナ１１４から電波として放出する。受信側では受信アンテナ１１５から入力された電波をＲＦ受信部１１６と、ＰＬＬ等で構成されたクロック抽出部１１７とに入力し、クロック抽出部１１７において送信側の搬送波に同期したクロックを生成する。ここで生成されたクロックをＲＦ受信部１１６に入力して受信電波の復号に用いると共に、１／ｍ分周器１２１に入力し、データに同期したクロックを生成し、このクロックにより１ｂｉｔ高精度Ｄ／Ａ変換手段１２０を動作させ、受信した１ｂｉｔデータ列１１９を元のアナログ信号１２２に戻す構成となっている。
【０００３】
この回路構成によれば、伝送するデータが元来１ｂｉｔであるため、送信側において従来広く用いられてきたように、ｋｂｉｔのデータをシリアルデータに変換したときのようなデータの先頭位置を受信側に知らせるワード同期用のデータ挿入等のプロトコル制御が不必要となる。また、受信側においては、上記ｋｂｉｔのシリアルデータ列に変換するためのシリアル・パラレル変換器は不要で、１ｂｉｔのＤ／Ａ変換器があれば良く、このため非常に小型で低電力な回路を形成することが可能となる。
【０００４】
また、図１１は下記特許文献１で開示されている他の回路構成例で、送信側ではアナログ入力１１０をノイズシェーピングＡ／Ｄ変換器等のアナログ信号を高精度であるが１ｂｉｔのデジタル信号に変換できるＡ／Ｄ変換器１１１を介して１ｂｉｔシリアルデータに変換し、この１ｂｉｔデータ列１１２をＲＦ送信部１１３でＦＳＫまたはＰＳＫ等の変調によりデータ周波数のｍ倍の搬送波で変調をかけ、さらに間欠信号１２５によりデータ周期毎に短い時間だけ搬送波の送出を停止させ、これを送信アンテナ１１４から電波として放出する構成としている。受信側では受信アンテナ１１５から入力された電波をＲＦ受信部１１６と、ＰＬＬ等によるクロック抽出部１１７および搬送波が停止している無信号区間を感知してデータ周期を受信信号から抽出するデータタイミング抽出部１２６に入力してデータに同期したデータタイミングクロック１２７を生成し、クロック抽出部１１７で送信側の搬送波に同期したクロックを生成し、この搬送波に同期したクロックをＲＦ受信部１１６に入力して受信電波の復号に用いると共に、１／ｍ分周器１２１に入力しデータに同期したクロックを得、このクロックと上記のデータタイミングクロック１２７とにより１ｂｉｔの高精度Ｄ／Ａ変換器１２０を動作させ、これにより１ｂｉｔの受信信号をアナログ信号に戻す構成となっている。この回路構成では伝送する電波の搬送波を一時的に止めることにより受信側で簡単に同期を取るデータタイミング抽出部１２６の構成を可能としたものであり、同期データ挿入等データ同期のためのプロトコル制御が不必要となる。
【０００５】
このようにノイズシェーピング技術を用いた従来の技術によれば、回路は簡素化され、低消費電力化は実現できるものの、１つのＲＦ周波数では１つのデータしか送信できず、同時に多数の情報を１つのＲＦ周波数に多重化して送信すると受信側では全ての情報が混合してしまうという欠点を有しており、この問題を避けるため，例えばデータ毎に異なるＲＦ周波数を用いて実現するとなると装置が大型化してしまうという問題があった。
【特許文献１】特開２００１−２４５００４号公報
【発明の開示】
【発明が解決しようとする課題】
【０００６】
以上述べたように従来の技術によれば、１ｂｉｔ量子化された音声信号のデータ伝送は１データ列についてのみ可能であり、同時に複数のデータを混信なしに伝送することは不可能であった。本発明は１ｂｉｔ量子化された伝送系における上記問題を解決し、複数のデータを１つの周波数の電波あるいは光等で同時に伝送する多重化されたデータの通信方法およびその送受信装置を提供することを目的としている。
【課題を解決するための手段】
【０００７】
以上の目的を達成するために、本発明の請求項１においては、
ｎ＞１としてｎ個のデータ入力を有し、該各データ入力を１ｂｉｔ量子化手段により１ｂｉｔ量子化し、該１ｂｉｔ量子化されたｎ個の前記データ入力をパラレル・シリアル変換手段により前記１ｂｉｔ量子化手段における量子化速度のｎ倍の速度を有するシリアルデータとして多重化し、該シリアルデータを、光、赤外線、紫外線、電波、磁気波の何れかによる通信媒体で送信するデータ通信方法について規定している。
【０００８】
請求項２においては、請求項１に記載の光、赤外線、紫外線、電波、磁気波の何れかによる通信媒体で送信された信号を受信し復調することにより得られた前記シリアルデータから生成される第１のクロックを１／ｎに分周して得られる第２のクロックを発生せしめ、該第２のクロックを用いて前記受信したシリアルデータを予め定められた一定の間隔でＤＦＦ（Ｄフリップフロップ）等を用いたラッチ手段にとり込むことにより前記ｎ個のデータ入力における任意の１つのデータ入力のみを出力するデータ通信方法について規定している。
【０００９】
請求項３においては、請求項２に記載の光、赤外線、紫外線、電波、磁気波の何れかによる通信媒体で送信されて来た信号を受信し復調することにより得られた前記シリアルデータから生成される前記第１のクロックを、１／ｎに分周して得られる前記第２のクロックで、かつ該第２のクロックの立ち上がり時刻を１データ時間分づつずらせたｎ個のクロックを発生せしめ、該ｎ個のクロックのそれぞれをｎ個のＤＦＦ等で構成されたラッチ手段のクロック入力端子に印加して、前記多重化された前記データ入力の各データを前記ラッチ手段にそれぞれラッチし、前記各ラッチ手段出力から前記ｎ個のデータ入力を個々に並列に取り出すデータ通信方法について規定している。
【００１０】
請求項４においては、ｎ＞１として、ｎ個の１ｂｉｔ量子化して得られるデジタルデータをｎ個の記憶手段にそれぞれ記憶しておき、該ｎ個の記憶手段の各々からデータを１ｂｉｔづつ取り出し、該１ｂｉｔづつ取り出したデータをパラレル・シリアル変換手段で多重化することにより１ｂｉｔ量子化手段における量子化速度のｎ倍の速度を有するシリアルデータとし、該シリアルデータを送信用の変調を行った後、光、赤外線、紫外線、電波、磁気波の何れかを用いて該シリアルデータを送信するデータ通信方法について規定している。
【００１１】
請求項５においては、請求項１または請求項４に記載のデータ通信方法において、パラレル・シリアル変換手段の１つまたは複数の入力に対し、機器制御や他の入力のデータ状態を知らせるための制御信号となるデジタルデータを前記シリアルデータに付加するデータ通信方法について規定している。
【００１２】
請求項６においては、ｎ＞１としてｎ個のデータ入力端子と、該ｎ個のデータ入力端子にそれぞれ接続されている１ｂｉｔ量子化手段と、該ｎ個の１ｂｉｔ量子化手段の各出力を１次元のシリアルデータに統合するためのパラレル・シリアル変換手段と、該シリアルデータを変調して光、赤外線、紫外線、電波、磁気波の何れかの通信媒体により送信するための送信手段とを有する構成のデータ送信装置について規定している。
【００１３】
請求項７においては、請求項６に記載のデータ送信装置から発信された信号を受信し復調する受信手段と、該受信手段の出力として得られる前記シリアルデータから得られる第１のクロックに対して１／ｎに分周して得られる第２のクロックを生成するクロック発生手段と、該第２のクロックにより前記シリアルデータから予め定められたデータ入力のみを採り込むラッチ手段とを有する構成のデータ受信装置について規定している。
【００１４】
請求項８においては、請求項６に記載のデータ送信装置から発信された信号を受信し復調する受信手段と、該受信手段の出力として得られる前記シリアルデータから得られる第１のクロックに対して１／ｎの周波数で、かつ位相が１データ時間分づつずれたｎ個のクロック群を生成するクロック発生手段と、前記受信手段の出力側に接続されているｎ個のＤＦＦ等で構成されたラッチ手段とを有しており、該ｎ個のラッチ手段は１／ｎ周波数でｎ個のクロックにより前記シリアルデータから前記ｎ個のデータ入力を順次採り込む構成としており、前記ｎ個のラッチ手段からｎ個のデータ入力をそれぞれ並列に取り出す構成であるデータ受信装置について規定している。
【００１５】
請求項９においては、ｎ＞１として、１ｂｉｔ量子化して得られたｎ個のデジタルデータをそれぞれ記憶するｎ個のデータ記憶手段と、該ｎ個のデータ記憶手段出力が接続されているパラレル・シリアル変換手段と、該パラレル・シリアル変換手段により形成されたシリアルデータを変調し光、赤外線、紫外線、電波、磁気波の何れかにより送信する送信手段とを有する構成のデータ送信装置について規定している。
【００１６】
請求項１０においては、請求項６または請求項９に記載のデータ送信装置において、前記パラレル・シリアル変換手段は前記ｎ個のデータ入力にさらに機器制御や他の入力のデータ状態を知らせるための制御信号となるデジタルデータを前記シリアルデータに付加するための入力も有しているデータ送信装置について規定している。
【発明の効果】
【００１７】
従来の１ｂｉｔ量子化を用いた前記特開２００１−２４５００４号公報による伝送方法および装置では多チャンネルの伝送は困難であった。これに対し、本発明によれば各データ入力に同期した複数のクロックを発生させて使用することにより多チャンネル化を可能としている。これにより、例えば美術館等で絵画の解説等を１ｂｉｔ量子化を用いて伝送しようとした場合、日本語だけではなく、英語・中国語等の各種言語の解説を放送し、受信側で好みの言語で解説を聞くといった同時多用途のサービスが可能となり、従来は実現困難であった１ｂｉｔ量子化データ伝送の多重化が実現可能となる利点を有している。
【発明を実施するための最良の形態】
【００１８】
図１にノイズシェーピング回路等でアナログ信号を１ｂｉｔＡ／Ｄ変換し、従来の多ｂｉｔ構成のＰＣＭデータではなく１ｂｉｔ化されたデータのまま伝送し、受信側で再生する手法の基本構成を示す。  
図１において送信側は１ｂｉｔ化手段１２と、１ｂｉｔ送信手段１３とから構成されており、受信側は１ｂｉｔ受信手段１４と、スピーカ駆動手段１５およびスピーカ１６とで構成されている。すなわち、図１の構成による音声信号等アナログ信号の送信側は、１ｂｉｔ化手段１２（例えば、アナログ信号１１をノイズシェーピング方式で１ｂｉｔのデジタルデータ列に変換する１ｂｉｔＡ／Ｄ変換器等）と、この１ｂｉｔデータのデジタル信号列で予め定められた変調方式により変調された光、赤外線、紫外線、電波、磁気波等の何れかの手段により伝送路となる１ｂｉｔ通信媒体１７に放出する１ｂｉｔ送信手段１３とで構成されている。この１ｂｉｔ送信手段１３により空中に放出された１ｂｉｔデータは１ｂｉｔ通信媒体１７を介して受信側に至る。一方、受信側は空中に放出された光、赤外線、紫外線、電波、磁気波等を受信し、これを復調して元の１ｂｉｔデータのデジタル信号列を得る１ｂｉｔ受信手段１４と、この１ｂｉｔのデジタル信号列によりスピーカ１６を駆動するスピーカ駆動手段１５とスピーカ１６とから構成されている。
【００１９】
なお、アナログ入力信号に対する１ｂｉｔ化手段（ノイズシェーピングＡ／Ｄ変換器等）１２出力は音声等のアナログ信号をパルスの粗密波に変換した形となっている。これは音声が空気の粗密波として空中を伝わるのと同様の伝送波形となっている。このため、従来技術のように一纏まりのデータの先頭位置を示す同期信号を付加する必要はなく、またデータ毎に配列換えを行う必要もなく、回路構成を極めて簡素にすることが可能となっている。さらに、この１ｂｉｔデータは上記のようにパルスの粗密波となっているため、この波形のまま低インピーダンスドライバ等のスピーカ駆動手段によりスピーカを駆動すればそのまま音声として再生することが出来る。  
本発明は以上の１ｂｉｔ化技術の長所を保ちつつ、複数の入力データの伝送も可能にするものである。
【００２０】
図２は本発明における第１の実施の形態を示すものである。すなわち、ｎ個の入力（入力１〜入力ｎ）に対してそれぞれ１ｂｉｔ量子化手段２１１〜２１ｎを用い、これら各入力に音声等のアナログ信号または２進コード化(ＰＣＭ化)されたデータを入力する。具体的には、入力がアナログ信号のときの１ｂｉｔ量子化手段はノイズシェーピングＡ／Ｄ変換器で構成し、入力が２進コード化したデータのときの１ｂｉｔ量子化手段はノイズシェーピング処理を論理回路で行う１ｂｉｔ量子化器で構成することになる。このｎ個の１ｂｉｔ量子化手段２１１〜２１ｎの出力信号をＤ１１〜Ｄｎ１とする。この出力信号Ｄ１１〜Ｄｎ１をパラレル・シリアル変換手段２２に入力し、並列データであるこれら出力信号Ｄ１１〜Ｄｎ１の１ｂｉｔデータを時系列信号に並べ換えたシリアルデータ列を得て、このシリアルデータ列を光、赤外線、紫外線、電波、磁気波等の送信手段２３により送信する方式である。
【００２１】
図３はパラレル・シリアル変換手段２２の入出力の関係を図示したものであり、ｎ個の１ｂｉｔ量子化手段２１１〜２１ｎからはｎ個の出力信号Ｄ１１〜Ｄｎ１のデータ列がそれぞれ並列に出力され、次いで同じ１ｂｉｔ量子化手段２１１〜２１ｎから次のデータ列Ｄ１２〜Ｄｎ２がそれぞれ並列に出力される。図３の最下段はパラレル・シリアル変換手段２２の出力で、データ列Ｄ１２〜Ｄｎ２がｎ倍の速度で読み出されてシリアルデータ列となる状況を示している。
【００２２】
図４は本発明における第２の実施の形態を示す構成図である。前記本発明における第１の実施の形態で述べた構成の装置で送信された信号は受信手段４１で受信される。この受信された信号をラッチ手段４２とクロック発生手段４３とに入力し、クロック発生手段４３から出力されたクロックをラッチ手段４２のクロック入力とし、受信手段４１からラッチ手段４２に入力された受信信号であるシリアル信号をこのクロックにより一定時間間隔毎にラッチし出力するものである。ここで、ラッチ手段としてはＤＦＦ（Ｄフリップフロップ）等を使用することが出来る。
【００２３】
図５はクロック発生手段４３のクロック出力とラッチ手段４２の入出力の関係を図示したものであり、図２の場合のように送信側でｎ個の入力がある場合、受信側で受信し復調した信号は図３最下段のパラレル・シリアル変換手段出力のシリアルデータ列と同じである。この受信信号に同期したクロックを発生し、それを（１／ｎ）分周したクロック（すなわち送信側のデータ入力のクロックと等価）をクロック発生手段４３の出力とする。このクロックの立ち上がりエッジ（図５における下向き矢印の位置、すなわち、最下段でＤ１１、Ｄ１２の各データ部の先頭位置）を例えばＤ１１のデータ位置に合わせたとするとラッチ手段からはＤ１１，Ｄ１２，〜Ｄ１ｎのように、Ｄ１１系列のデータ（１ｂｉｔ量子化手段２１１からのデータ）のみを取り出すことができる。このように、クロックの立ち上がりエッジを任意の入力データに対する１ｂｉｔ量子化手段の出力に合わせることにより任意の入力を選択して出力することが出来るようになる。
【００２４】
既に述べたように、従来の方法では1個の１ｂｉｔ量子化手段の出力しか送信できなかったが、以上述べた、本発明における第１および第２の実施の形態を用いることにより、同時にｎ個の１ｂｉｔ量子化手段の出力を多重化して送信でき、かつ受信側では必要とする１個の１ｂｉｔ量子化手段の出力のみを取り出すことが可能になる。このように本発明を用いると従来の１ｂｉｔ量子化手段を用いる伝送技術では実現不可能であった複数チャンネルの信号を多重化して送信することが出来るようになり、かつ受信側では１つのチャンネルの信号を選択的に再生することが出来る。
【００２５】
図６は本発明における第３の実施の形態による受信装置側の構成例であり、図２に示した第１の実施の形態による装置で送信された信号を受信する受信手段４１の出力をｎ個のラッチ手段６２１〜６２ｎとクロック発生手段６３とに入力し、クロック発生手段６３から図４におけるクロック発生手段４３と同様に入力信号をｎ分周して得られたクロックを出力するが、クロック発生手段６３においてはこのｎ分周したクロックをｎ本発生し、その各クロック間の位相差は入力信号の1データ時間分だけずれている。この位相のずれた１群のクロックをクロック１〜クロックｎとし、各々のラッチ手段６２１〜６２ｎのクロックとしてそれぞれに入力する。これによりラッチ手段６２１〜６２ｎの出力には図２の１ｂｉｔ量子化手段２１１〜２１ｎの出力信号Ｄ１１，Ｄ２１，〜，Ｄｎ１を対応させて出力することができる。  
図７は図４に対する図５の関係の場合と同様に、図６の構成に対する受信手段出力（シリアルデータ列）とクロック1〜クロックｎおよび各ラッチ手段の出力の関係を表したもので、各ラッチ手段６２１〜６２ｎの出力が１ｂｉｔ量子化手段２１１〜２１ｎの出力信号と同様になることが分かる。（図７ではｎ＝２までについて例示している。）
図８は本発明における第４の実施の形態を示すものであり、本第４の実施の形態においては入力信号を１ｂｉｔ量子化する代わりに、１ｂｉｔ量子化済みの信号を記憶手段８１１〜８１ｎにそれぞれ記憶し、各データ記憶手段８１１〜８１ｎから１ｂｉｔづつ出力することにより前記第１の実施の形態と同様の効果を得るものである。本第４の実施の形態を用いると１ｂｉｔ量子化をソフトウエアで行い、処理した結果をメモリ等に記憶すればよく、１ｂｉｔ量子化手段をハードウエアとして持つ必要がなくなり機器構成が簡単となる。またデータ記憶手段８１１〜８１ｎに記憶されるのは１ｂｉｔ量子化されたデータであるため全体のデータを一塊にしてサーバ等へ記憶しておけばＬＡＮ等の通信回線を通しての記憶手段への取込みも可能になる。またこの時、データ記憶手段８１１〜８１ｎに記憶されているデータの先頭または最後あるいは両方に、或る定まったパターンのデータを付加しておけば各データの先頭位置および最終位置を規定することができ、データ記憶手段８１１〜８１ｎに記憶されている情報へのＩＤの付加やデータ終了を受信機に通知することができる。また、データ記憶手段８１１〜８１ｎの中に記憶されているデータの途中にデータ入力あるいは音声情報の種類や状態を知らせるデータを付加することも可能である。以上のように本第４の実施の形態においては、音声情報のみならず一般にデジタルデータを入力として使用することが出来る。
【００２６】
図９は本発明における第５の実施の形態を示すもので、パラレル・シリアル変換手段９１の１つまたは複数の入力に対し、機器制御や他の入力のデータ状態を知らせるためのデジタルデータを入力することを特徴とするものである。この制御信号に定まったｂｉｔ列のプリアンブルを挿入すると、受信側ではこのプリアンブルを検出することにより、制御信号入力のチャンネルを特定することができる。制御信号入力のチャンネルを特定できれば、このチャンネルを基に他のチャンネルをラッチするタイミングを特定することが可能であり、前記第２の実施の形態で開示した装置と併用することにより、受信側では特定のチャンネルの通信のみを可能とすることが出来る。
【図面の簡単な説明】
【００２７】
【図１】１ｂｉｔ量子化手段を用いた伝送系の基本構成図。
【図２】第１の実施の形態を示す送信系構成図。
【図３】第１の実施の形態におけるデータタイミング図。
【図４】第２の実施の形態を示す受信系構成図。
【図５】第２の実施の形態におけるデータタイミング図。
【図６】第３の実施の形態を示す受信系構成図。
【図７】第３の実施の形態におけるデータタイミング図。
【図８】第４の実施の形態を示す送信系構成図。
【図９】第５の実施の形態を示す送信系構成図。
【図１０】従来の１ｂｉｔ量子化を用いた１つの通信方法を示す通信系構成図。
【図１１】従来の１ｂｉｔ量子化を用いた他の通信方法を示す通信系構成図。
【符号の説明】
【００２８】
１１：音声信号                        １２：１ｂｉｔ化手段
１３:１ｂｉｔ送信手段                 １４：１ｂｉｔ受信手段
１５:スピーカ駆動手段                 １６: スピーカ
１７:１ｂｉｔ通信媒体             
１１０：入力データ                    １１１：Ａ／Ｄ変換手段
１１２：１ｂｉｔデータ列              １１３：ＲＦ送信部
１１４：送信アンテナ                  １１５：受信アンテナ
１１６：ＲＦ受信部                    １１７：クロック抽出部
１１８：クロック                      １１９：１ｂｉｔデータ列
１２０：Ｄ／Ａ変換手段                １２１：１／ｍ分周器
１２２：出力データ                    １２５：間欠信号
１２６：データタイミング抽出部        １２７：タイミングクロック
２１１〜２１ｎ：１ｂｉｔ量子化手段
２２、９１:パラレル・シリアル変換器   ２３:送信手段
４１:受信手段                         ４２:ラッチ手段
４３:クロック発生手段            ６２１〜６２ｎ:ラッチ手段
６３:クロック発生手段             ８１１〜８１ｎ:データ記憶手段
【図１】
2005057467.tif 000003
【図２】
2005057467.tif 000004
【図３】
2005057467.tif 000005
【図４】
2005057467.tif 000006
【図５】
2005057467.tif 000007
【図６】
2005057467.tif 000008
【図７】
2005057467.tif 000009
【図８】
2005057467.tif 000010
【図９】
2005057467.tif 000011
【図１０】
2005057467.tif 000012
【図１１】
2005057467.tif 000013